【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
第１のサイズを有する第１のデジタルデータ集合（２０）のサンプル（Ａ0、Ａ1、Ａ2、Ａ3、Ａ4、Ａ5、Ａ6、Ａ7、Ａ8、Ａ9）及び第２のサイズを有する第２のデジタルデータ集合（３０）のサンプル（Ｂ0、Ｂ1、Ｂ2、Ｂ3、Ｂ4、Ｂ5、Ｂ6、Ｂ7、Ｂ8、Ｂ9）を結合して、前記第１のサイズ及び前記第２のサイズの合計よりも小さい第３のサイズを有する第３のデジタルデータ集合（４０）のサンプル（Ｃ0、Ｃ1、Ｃ2、Ｃ3、Ｃ4、Ｃ5、Ｃ6、Ｃ7、Ｃ8、Ｃ9）にする方法であって、
前記第１のデジタルデータ集合（２０）の第１のサブセットの各サンプル（Ａ1、Ａ3、Ａ5、Ａ7、Ａ9）を、前記第１のサブセットのサンプル（Ａ1、Ａ3、Ａ5、Ａ7、Ａ9）と交互配置された前記第１のデジタルデータ集合（２０）の第２のサブセットのサンプル（Ａ0、Ａ2、Ａ4、Ａ6、Ａ8）の隣接サンプルに等化する処理と、
前記第２のデジタルデータ集合（３０）の第３のサブセットの各サンプル（Ｂ0、Ｂ2、Ｂ4、Ｂ6、Ｂ8）を、前記第３のサブセットのサンプル（Ｂ0、Ｂ2、Ｂ4、Ｂ6、Ｂ8）と交互配置され且つ前記第２のサブセットのサンプル（Ａ0、Ａ2、Ａ4、Ａ6、Ａ8）と時間的に対応するサンプルを有していない前記第２のデジタルデータ集合（３０）の第４のサブセットのサンプル（Ｂ1、Ｂ3、Ｂ5、Ｂ7、Ｂ9）の隣接サンプルに等化する処理と、
前記等化された第１のデジタルデータ集合の前記サンプル（Ａ0"、Ａ1"、Ａ2"、Ａ3"、Ａ4"、Ａ5"、Ａ6"、Ａ7"、Ａ8"、Ａ9"）を、前記第２のサブセットのサンプル（Ａ0、Ａ2、Ａ4、Ａ6、Ａ8）と対応するサンプルを有していない時間領域において前記等化された第２のデジタルデータ集合の対応するサンプル（Ｂ０"、Ｂ１"、Ｂ２"、Ｂ３"、Ｂ４"、Ｂ５"、Ｂ６"、Ｂ７"、Ｂ８"、Ｂ９"）に追加することによって、前記第３のデジタルデータ集合（４０）のサンプル（Ｃ0、Ｃ1、Ｃ2、Ｃ3、Ｃ4、Ｃ5、Ｃ6、Ｃ7、Ｃ8、Ｃ9）を生成する処理と、
前記第１のデジタルデータ集合（２０）の第１のシードサンプル（Ａ０）及び前記第２のデジタルデータ集合（３０）の第２のシードサンプル（Ｂ１）を前記第３のデジタルデータ集合（４０）に埋め込む処理と、を含む方法。
【請求項２】
前記第１のデジタルデータ集合（２０）が第１のオーディオ信号を表し、前記第２のデジタルデータ集合（３０）が第２のオーディオ信号を表し、前記第３のデジタルデータ集合（４０）が、前記第１のオーディオ信号及び前記第２のオーディオ信号の結合である第３のオーディオ信号を表すことを特徴とする請求項１に記載の方法。
【請求項３】
第４のオーディオ信号を表す第４のデジタルデータ集合が、前記第１（２０）及び第２のデジタルデータ集合（３０）と結合されて、前記第１のオーディオ信号、前記第２のオーディオ信号及び前記第４のオーディオ信号の結合である第３のオーディオ信号を表す前記第３のデジタルセット（４０）になることを特徴とする請求項２に記載の方法。
【請求項４】
前記第１のシードサンプルが前記第１のデジタルデータ集合の前記第１のサンプルであり、前記第２のシードサンプルが前記第２のデジタルデータ集合の前記第２のサンプルであることを特徴とする請求項１に記載の方法。
【請求項５】
前記第１のシードサンプル（Ａ０）及び前記第２のシードサンプル（Ｂ１）が、前記第３のデジタルデータ集合（４０）のサンプル（Ｃ0、Ｃ1、Ｃ2、Ｃ3、Ｃ4、Ｃ5、Ｃ6、Ｃ7、Ｃ8、Ｃ9）の下位ビット内に埋め込まれることを特徴とする請求項１に記載の方法。
【請求項６】
前記第１のシードサンプル（Ａ０）の場所に対して定義された位置に同期パターン（ＳＹＮＣ）が埋め込まれることを特徴とする請求項１に記載の方法。
【請求項７】
前記サンプルを等化する処理の前に、前記サンプルの等化から生じる誤差が、誤差近似のセットから誤差近似を選択することによって近似されるようにすることを特徴とする請求項１に記載の方法。
【請求項８】
前記誤差近似のセットにインデックスが付加され、前記誤差近似を表すインデックスが、前記誤差近似が対応する前記サンプルの下位ビットにより形成された補助データ領域（８１）内に埋め込まれることを特徴とする請求項７に記載の方法。
【請求項９】
請求項１に記載の前記方法により得られるような第３のデジタルデータ集合（４０）のサンプル（Ｃ0、Ｃ1、Ｃ2、Ｃ3、Ｃ4、Ｃ5、Ｃ6、Ｃ7、Ｃ8、Ｃ9）から第１のデジタルデータ集合（２０）のサンプル（Ａ0、Ａ1、Ａ2、Ａ3、Ａ4、Ａ5、Ａ6、Ａ7、Ａ8、Ａ9）及び第２のデジタルデータ集合（３０）のサンプル（Ｂ0、Ｂ1、Ｂ2、Ｂ3、Ｂ4、Ｂ5、Ｂ6、Ｂ7、Ｂ8、Ｂ9）を抽出する方法であって、
前記第１のデジタルデータ集合（２０）の第１のシードサンプル（Ａ0）及び前記第２のデジタルデータ集合（３０）の第２のシードサンプル（Ｂ1）を前記第３のデジタルデータ集合（４０）から取り出す処理と、
前記第３のデジタルデータ集合（４０）の対応するサンプルから前記第１のデジタルデータ集合（２０）のサンプルの既知の値を減算することで前記第２のデジタルデータ集合（３０）のサンプル（Ｂn）を抽出し、且つ前記第３のデジタルデータ集合（３１）の対応するサンプルから前記第２のデジタルデータ集合（３０）のサンプルの既知の値を減算することで前記第１のデジタルデータ集合（２０）のサンプルを抽出することによって、第１のサブセットのサンプル（Ａ1、Ａ3、Ａ5、Ａ7、Ａ9）及び第２のサブセットのサンプル（Ａ0、Ａ2、Ａ4、Ａ6、Ａ8）を含む前記第１のデジタルデータ集合（２０）と、第３のサブセットのサンプル（Ｂ0、Ｂ2、Ｂ4、Ｂ6、Ｂ8）及び第４のサブセットのサンプル（Ｂ1、Ｂ3、Ｂ5、Ｂ7、Ｂ9）を含む前記第２のデジタルデータ集合（３０）とを取り出す処理とを含み、
前記第４のサブセット（Ｂ1、Ｂ3、Ｂ5、Ｂ7、Ｂ9）の前記サンプル及び前記第２のサブセットのサンプル（Ａ0、Ａ2、Ａ4、Ａ6、Ａ8）が、時間的に対応するサンプルを有しておらず、前記第１のサブセットの各サンプル（Ａ1、Ａ3、Ａ5、Ａ7、Ａ9）が、前記第２のサブセットのサンプル（Ａ0、Ａ2、Ａ4、Ａ6、Ａ8）の隣接サンプルと等しい値を有し、前記第１のサブセットのサンプル（Ａ1、Ａ3、Ａ5、Ａ7、Ａ9）及び前記第２のサブセットのサンプル（Ａ0、Ａ2、Ａ4、Ａ6、Ａ8）が交互配置され、前記第３のサブセットのサンプル（Ｂ0、Ｂ2、Ｂ4、Ｂ6、Ｂ8）が、前記第４のサブセットのサンプル（Ｂ1、Ｂ3、Ｂ5、Ｂ7、Ｂ9）の隣接サンプルと等しい値を有し、前記第３のサブセットの各サンプル（Ｂ0、Ｂ2、Ｂ4、Ｂ6、Ｂ8）及び前記第４のサブセットのサンプル（Ｂ1、Ｂ3、Ｂ5、Ｂ7、Ｂ9）が交互配置されていることを特徴とする方法。
【請求項１０】
前記第１のデジタルデータ集合（２０）が第１のオーディオ信号を表し、前記第２のデジタルデータ集合（３０）が第２のオーディオ信号を表し、前記第３のデジタルデータ集合（３１）が、前記第１のオーディオ信号及び前記第２のオーディオ信号の結合である第３のオーディオ信号を表すことを特徴とする請求項９に記載の方法。
【請求項１１】
前記第１及び第２のデジタルデータ集合（２０、３０）と結合されて前記第１のオーディオ信号、前記第２のオーディオ信号及び前記第４のオーディオ信号の結合である第３のオーディオ信号を表す前記第３のデジタルセット（３１）になる第４のオーディオ信号を表す第４のデジタルデータ集合が抽出されることを特徴とする請求項１０に記載の方法。
【請求項１２】
前記第１のシードサンプルが前記第１のデジタルデータ集合の第１のサンプル（Ａ0）であり、前記第２のシードサンプル（Ｂ1）が前記第２のデジタルデータ集合の第２のサンプルであることを特徴とする請求項９に記載の方法。
【請求項１３】
前記第１のシードサンプル（Ａ0）及び前記第２のシードサンプル（Ｂ1）が、前記第３のデジタルデータ集合（４０）のサンプル（Ｃ0、Ｃ1、Ｃ2、Ｃ3、Ｃ4、Ｃ5、Ｃ6、Ｃ7、Ｃ8、Ｃ9）の下位ビットから抽出されることを特徴とする請求項９に記載の方法。
【請求項１４】
前記第１のシードサンプル（Ａ０）の位置を定義するために、同期パターン（ＳＹＮＣ）が使用されることを特徴とする請求項９に記載の方法。
【請求項１５】
前記第１のデジタルデータ集合を取り出す処理の後に、符号化中に前記サンプルの等化から生じる誤差が、取り出された誤差近似を追加することにより補正されるようにすることを特徴とする請求項９に記載の方法。
【請求項１６】
前記誤差近似が、前記第３のデジタルデータ集合のサンプルの下位ビットにより形成された補助データ領域（８１）から取り出されることを特徴とする請求項１５に記載の方法。
【請求項１７】
請求項１〜８のいずれか１項に記載の前記方法を実行するように構成された符号器（１０）であって、
前記第１のデジタルデータ集合（２０）の第１のサブセットの各サンプル（Ａ1、Ａ3、Ａ5、Ａ7、Ａ9）を、前記第１のサブセットのサンプル（Ａ1、Ａ3、Ａ5、Ａ7、Ａ9）と交互配置された前記第１のデジタルデータ集合（２０）の第２のサブセットのサンプル（Ａ0、Ａ2、Ａ4、Ａ6、Ａ8）の隣接サンプルに等化する第１の等化手段（１１ａ）と、
前記第２のデジタルデータ集合（３０）の第３のサブセットの各サンプル（Ｂ0、Ｂ2、Ｂ4、Ｂ6、Ｂ8）を、前記第３のサブセットのサンプル（Ｂ0、Ｂ2、Ｂ4、Ｂ6、Ｂ8）と交互配置され且つ前記第２のサブセットのサンプル（Ａ0、Ａ2、Ａ4、Ａ6、Ａ8）と時間的に対応するサンプルを有していない前記第２のデジタルデータ集合（３０）の第４のサブセットのサンプル（Ｂ1、Ｂ3、Ｂ5、Ｂ7、Ｂ9）の隣接サンプルに等化する第２の等化手段（１１ｂ）と、
前記時間領域において前記第２のデジタルデータ集合の対応するサンプルに前記第１のデジタルデータ集合のサンプルを追加することによって前記第３のデジタルデータ集合のサンプルを生成する結合器（１３）と、
前記第１のデジタルデータ集合の第１のシードサンプル及び前記第２のデジタルデータ集合の第２のシードサンプルを前記第３のデジタルデータ集合に埋め込むフォーマット手段（１４）と、を備えることを特徴とする符号器（１０）。
【請求項１８】
請求項９〜１６のいずれか１項に記載の前記方法を実行するように構成された復号器であって、
前記第１のデジタルデータ集合（２０）の第１のシードサンプル（Ａ0）及び前記第２のデジタルデータ集合（３０）の第２のシードサンプル（Ｂ1）を前記第３のデジタルデータ集合（４０）から取り出すシード値取り出し部（２０２）と、
第１のサブセットのサンプル（Ａ1、Ａ3、Ａ5、Ａ7、Ａ9）及び第２のサブセットのサンプル（Ａ0、Ａ2、Ａ4、Ａ6、Ａ8）を含む前記第１のデジタルデータ集合（２０）と、第３のサブセットのサンプル（Ｂ0、Ｂ2、Ｂ4、Ｂ6、Ｂ8）及び第４のサブセットのサンプル（Ｂ1、Ｂ3、Ｂ5、Ｂ7、Ｂ9）を含む前記第２のデジタルデータ集合（３０）とを取り出すプロセッサ（２０６）とを備え、
前記第１の処理手段が、前記第２のデジタルデータ集合（３０）のサンプル（Ｂn）を抽出する第１の抽出器と、前記第３のデジタルデータ集合（４０）の対応するサンプルから前記第１のデジタルデータ集合（２０）のサンプルの既知の値を減算する第１の減算器とを含み、前記プロセッサが更に、前記第１のデジタルデータ集合（２０）のサンプルを抽出する第２の抽出器と、前記第３のデジタルデータ集合（３１）の対応するサンプルから前記第２のデジタルデータ集合（３０）のサンプルの既知の値を減算する第２の減算器とを含み、
前記第４のサブセット（Ｂ1、Ｂ3、Ｂ5、Ｂ7、Ｂ9）の前記サンプル及び前記第２のサブセットのサンプル（Ａ0、Ａ2、Ａ4、Ａ6、Ａ8）が、時間的に対応するサンプルを有しておらず、前記第１のサブセットの各サンプル（Ａ1、Ａ3、Ａ5、Ａ7、Ａ9）が、前記第２のサブセットのサンプル（Ａ0、Ａ2、Ａ4、Ａ6、Ａ8）の隣接サンプルと等しい値を有し、前記第１のサブセットのサンプル（Ａ1、Ａ3、Ａ5、Ａ7、Ａ9）及び前記第２のサブセットのサンプル（Ａ0、Ａ2、Ａ4、Ａ6、Ａ8）が交互配置され、前記第３のサブセットの各サンプル（Ｂ0、Ｂ2、Ｂ4、Ｂ6、Ｂ8）が、前記第４のサブセットのサンプル（Ｂ1、Ｂ3、Ｂ5、Ｂ7、Ｂ9）の隣接サンプルと等しい値を有し、前記第３のサブセットのサンプル（Ｂ0、Ｂ2、Ｂ4、Ｂ6、Ｂ8）及び前記第４のサブセットのサンプル（Ｂ1、Ｂ3、Ｂ5、Ｂ7、Ｂ9）が交互配置されており、
前記復号器には、更に、前記取り出された第１のデジタルデータ集合を出力する出力手段が設けられていることを特徴とする復号器。
【請求項１９】
請求項１８に記載の再生装置を含む車室を備えた車両であって、前記再生機器が、オーディオ情報を有するデータキャリア用読取り装置と増幅器とを含むことを特徴とする車両。
【請求項２０】
請求項１〜８のいずれか１項に記載の前記方法により得られるデジタルデータ集合を含む記録媒体。
【請求項２１】
コンピュータ上で実行されたときに請求項１〜８の何れか１項に記載の前記方法を実行するコード手段を含むコンピュータプログラムであって、
前記コンピュータが、前記コンピュータプログラムの実行の好適な環境を提供することを特徴とするコンピュータプログラム。